(57)【要約】【課題】キャリアアグリゲーション及びコンポーネントキャリアの指定の方法等を提供する。【解決手段】複数のコンポーネントキャリアのキャリアアグリゲーションのために通信装置の能力を決定する。少なくとも１つのコンポーネントキャリアの負荷を決定する。能力の決定及び負荷の決定に基づき１つ以上のコンポーネントキャリアに通信装置を指定する。【選択図】図５
2013520048.tif 000002
【特許請求の範囲】
【請求項１】
複数のコンポーネントキャリアのキャリアアグリゲーションのために通信装置の能力を決定する段階と、
少なくとも１つのコンポーネントキャリアの負荷を決定する段階と、
前記能力の決定及び前記負荷の決定に基づき１つ以上のコンポーネントキャリアに通信装置を指定する段階と、
を含む方法。
【請求項２】
前記能力を決定する段階は、前記通信装置がキャリアアグリゲーションにおいてサポートするコンポーネントキャリアの最大数を決定することを含む、請求項１に記載の方法。
【請求項３】
前記負荷を決定する段階は、少なくとも１つのコンポーネントキャリアに指定される通信装置の数を決定することを含む、請求項１又は２に記載の方法。
【請求項４】
前記負荷は、次の事柄、即ち、少なくとも１つのコンポーネントキャリアに指定される通信装置の数、ユーザ装置のサービスの要求クオリティ、及びコンポーネントキャリアにおけるユーザサービスクオリティ、のうちの１つ以上に基づいて決定される、請求項４に記載の方法。
【請求項５】
前記負荷を決定する段階は、各コンポーネントキャリアに対する負荷限界を決定することを含む、請求項１から４のいずれかに記載の方法。
【請求項６】
前記負荷限界は、各コンポーネントキャリアによってサポートされる通信装置の最大数に基づく、請求項５に記載の方法。
【請求項７】
前記コンポーネントキャリアの負荷が負荷限界より低いときに、通信装置を１つ以上のコンポーネントキャリアに指定することが繰り返される、請求項５又は６に記載の方法。
【請求項８】
通信装置に指定されるコンポーネントキャリアの数が、キャリアアグリゲーションにおいて通信装置がサポートするコンポーネントキャリアの最大数より少ないとき、通信装置を１つ以上のコンポーネントキャリアに指定することが繰り返される、請求項１から７のいずれかに記載の方法。
【請求項９】
前記負荷を決定する段階は、複数のコンポーネントキャリアのうちの、負荷が最も低いコンポーネントキャリアを決定することを含む、請求項１から８のいずれかに記載の方法。
【請求項１０】
前記指定する段階は、負荷が最も低いコンポーネントキャリアを通信装置に指定することを含む、請求項９に記載の方法。
【請求項１１】
負荷が最も低いコンポーネントキャリアが２つ以上あるときには、前記決定は、負荷が最も低い２つ以上のコンポーネントキャリアの別のパラメータを決定することを含む、請求項９又は１０に記載の方法。
【請求項１２】
前記別のパラメータは、コンポーネントキャリアに関連した１つ以上のチャンネルクオリティパラメータである、請求項１１に記載の方法。
【請求項１３】
前記指定する段階は、チャンネルクオリティパラメータが所定レベルを満足するときに通信装置をコンポーネントキャリアに指定することを含む、請求項１２に記載の方法。
【請求項１４】
前記チャンネルクオリティパラメータは、受信干渉電力、コンポーネントキャリアの帯域巾、及び信号クオリティ状態、のうちの１つ以上である、請求項１２又は１３に記載の方法。
【請求項１５】
前記指定する段階は、通信装置がコンポーネントアグリゲーションをサポートしないと決定されたときに通信装置を単一のコンポーネントキャリアに指定することを含む、請求項１から１４のいずれかに記載の方法。
【請求項１６】
少なくとも１つのプロセッサと、
コンピュータプログラムコードを含む少なくとも１つのメモリと、
を備え、その少なくとも１つのメモリ及びコンピュータプログラムコードは、少なくとも１つのプロセッサにより、装置が、少なくとも、
複数のコンポーネントキャリアのキャリアアグリゲーションのために通信装置の能力を決定し、
少なくとも１つのコンポーネントキャリアの負荷を決定し、そして
前記能力の決定及び前記負荷の決定に基づき１つ以上のコンポーネントキャリアに通信装置を指定する、
ようにさせるよう構成される装置。
【請求項１７】
前記プロセッサは、前記通信装置がキャリアアグリゲーションにおいてサポートするコンポーネントキャリアの最大数を決定するように構成される、請求項１６に記載の装置。
【請求項１８】
前記プロセッサは、少なくとも１つのコンポーネントキャリアに指定される通信装置の数を決定するように構成される、請求項１６又は１７に記載の装置。
【請求項１９】
前記負荷は、次の事柄、即ち、少なくとも１つのコンポーネントキャリアに指定される通信装置の数、ユーザ装置のサービスの要求クオリティ、及びコンポーネントキャリアにおけるユーザサービスクオリティ、のうちの１つ以上に基づいて決定される、請求項１８に記載の方法。
【請求項２０】
前記プロセッサは、各コンポーネントキャリアに対する負荷限界を決定するように構成される、請求項１５から１９に記載の装置。
【請求項２１】
前記負荷限界は、各コンポーネントキャリアによってサポートされる通信装置の最大数に基づく、請求項２０に記載の装置。
【請求項２２】
前記プロセッサは、前記コンポーネントキャリアの負荷が負荷限界より低いとき、通信装置を１つ以上のコンポーネントキャリアに指定することを繰り返すように構成される、請求項２０又は２１に記載の装置。
【請求項２３】
前記プロセッサは、通信装置に指定されるコンポーネントキャリアの数が、キャリアアグリゲーションにおいて通信装置がサポートするコンポーネントキャリアの最大数より少ないとき、通信装置を１つ以上のコンポーネントキャリアに指定することを繰り返すように構成される、請求項１６から２２のいずれかに記載の装置。
【請求項２４】
前記プロセッサは、複数のコンポーネントキャリアのうちの、負荷が最も低いコンポーネントキャリアを決定するように構成される、請求項１６から２３のいずれかに記載の装置。
【請求項２５】
前記プロセッサは、負荷が最も低いコンポーネントキャリアに通信装置を指定するように構成される、請求項２４に記載の装置。
【請求項２６】
負荷が最も低いコンポーネントキャリアが２つ以上あることを前記プロセッサが決定するときに、前記プロセッサは、負荷が最も低いコンポーネントキャリアの別のパラメータを決定するように構成される、請求項２４又は２５に記載の装置。
【請求項２７】
前記別のパラメータは、コンポーネントキャリアに関連した１つ以上のチャンネルクオリティパラメータである、請求項２６に記載の方法。
【請求項２８】
前記指定は、チャンネルクオリティパラメータが所定レベルを満足するときに通信装置をコンポーネントキャリアに指定することを含む、請求項２７に記載の方法。
【請求項２９】
前記チャンネルクオリティパラメータは、受信干渉電力、コンポーネントキャリアの帯域巾、及び信号クオリティ状態、のうちの１つ以上である、請求項２７又は２８に記載の方法。
【請求項３０】
前記プロセッサは、通信装置がコンポーネントアグリゲーションをサポートしないと決定されたときに通信装置を１つのコンポーネントキャリアに指定するように構成される、請求項１６から２８のいずれかに記載の装置。
【請求項３１】
請求項１６から３０に記載の装置を備えたベースステーション。
【請求項３２】
前記ベースステーションは、ｅＮｏｄｅ  Ｂである、請求項３１に記載のベースステーション。
【請求項３３】
データ処理装置上でプログラムが実行されるとき請求項１から１５のいずれかに記載のステップを遂行するようにされたプログラムコード手段を含むコンピュータプログラム。
【発明の詳細な説明】
【技術分野】
【０００１】
本発明は、キャリアアグリゲーションに係り、特に、コンポーネントキャリアの指定に係る。
【背景技術】
【０００２】
通信システムとは、ユーザターミナル、ベースステーション及び／又は他のノードのような２つ以上のエンティティ間の通信セッションを、通信経路に含まれた種々のエンティティ間にキャリアを与えることにより行えるようにするファシリティと考えられる。通信システムは、例えば、通信ネットワーク及び１つ以上の適合する通信装置によって設けることができる。通信は、例えば、ボイス、電子メール（ｅ−メール）、テキストメッセージ、マルチメディア及び／又はコンテンツデータ、等の通信を搬送するためのデータ通信を含む。提供されるサービスは、これに限定されないか、例えば、両方向又は多方向コール、データ通信又はマルチメディアサービス、及びインターネットのようなデータネットワークシステムへのアクセスを含む。
【０００３】
ワイヤレス通信システムでは、少なくとも２つのステーション間の通信の少なくとも一部分は、ワイヤレスリンクを経て行われる。ワイヤレスシステムは、例えば、公共地上移動ネットワーク（ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムは、典型的に、セルに分割され、それ故、セルラーシステムとしばしば含まれる。
【０００４】
ユーザは、適当な通信装置又はターミナルにより通信システムにアクセスすることができる。ユーザの通信装置は、ユーザ装置（ＵＥ）としばしば称される。通信装置には、例えば、通信ネットワークへのアクセス又は他のユーザとの直接的な通信のような通信を行えるようにするための適当な信号受信及び送信装置が設けられる。通信装置は、例えば、セルのベースステーションのようなステーションによって与えられるキャリアにアクセスし、そしてそのキャリアを経て通信を送信及び／又は受信する。
【０００５】
性能を高めるためにキャリアアグリゲーションを使用することができる。キャリアアグリゲーションでは、帯域巾を増加するために複数のキャリアがアグリゲートされる（束ねられる）。キャリアアグリゲーションは、複数のコンポーネントキャリアを、本明細書において「アグリゲートされたキャリア」と称されるキャリアへアグリゲートすることを含む。
【０００６】
通信システム及び関連装置は、典型的に、システムに関連した種々のエンティティが何を行うことが許されそしてそれをどのように達成するか規定した所与の規格又は仕様書に基づいて動作する。例えば、キャリアアグリゲーションを使用するかどうか規定される。接続に使用すべき通信プロトコル及び／又はパラメータも、典型的に、規定される。容量増加需要に関連した問題を解決する試みは、ユニバーサル移動テレコミュニケーションシステム（ＵＭＴＳ）無線アクセス技術の長期進化（ＬＴＥ）として知られているアーキテクチャーである。ＬＴＥは、第三世代パートナーシッププロジェクション（３ＧＰＰ）によって標準化される。３ＧＰＰ  ＬＴＥ仕様の種々の開発段階は、リリースと称される。標準化の目的は、とりわけ、待ち時間が短く、ユーザデータレートが高く、システム容量及びカバレージが改善され、オペレータのコストが減少された通信システムを達成することである。ＬＴＥを更に開発したものは、ＬＴＥ進歩型（ＬＴＥ−Ａ）と称される。このＬＴＥ−進歩型は、低いコストでデータレートが更に高く且つ待ち時間が短い更に向上したサービスを提供するものである。
【０００７】
ＬＴＥ−進歩型の特徴は、キャリアアグリゲーションを提供できることである。ＬＴＥ−Ａでは、１００ＭＨｚまでのような広い送信帯域巾、及び／又はスペクトルアグリゲーションをサポートするために、２つ以上のコンポーネントキャリア（ＣＣ）をアグリゲートすることができる。例えば、ＬＴＥ  ｅＮｏｄｅ  Ｂ（ｅＮＢ）のような同じベースステーションから発生する異なる数のコンポーネントキャリア、及びアップリンク（ＵＬ）及びダウンリンク（ＤＬ）コンポーネントキャリアセットにおけるおそらく異なる帯域巾をアグリゲートするようにユーザ装置（ＵＥ）を構成することができる。
【０００８】
コンポーネントキャリア選択機能の一例が、ＬＴＥ−Ａ  ｅＮＢのための汎用無線リソースマネージメント（ＲＲＭ）フレームワークを示す図４に要約されている。レイヤ３は、コンポーネントキャリア選択機能を有する。コンポーネントキャリア選択機能は、コンポーネントキャリアをセル内のユーザ装置に指定する役割を果たす。ユーザ装置が３ＧＰＰ  ＬＴＥリリース８コンプライアント（Ｒｅｌ−８）ユーザ装置である場合、コンポーネントキャリア選択機能は、ＵＥがどのコンポーネントキャリアを指定するか判断する。対照的に、あるＬＴＥ−Ａユーザ装置は、２つ以上のコンポーネントキャリアが指定されることをサポートする。
【０００９】
レイヤ３がユーザ装置をコンポーネントキャリアに指定した後に、ダイナミックレイヤ２パケットスケジューリングは、そのコンポーネントキャリアにおいて個々のユーザ装置をスケジューリングする。レイヤ２パケットスケジューラは、各コンポーネントキャリア内におけるユーザ装置の物理的リソースブロック割り当てを判断する。
【発明の概要】
【発明が解決しようとする課題】
【００１０】
ＬＴＥ−Ａシステム又は他のマルチキャリアシステムにおけるコンポーネントキャリア指定の問題は、良好なマルチユーザ周波数ドメインパケットスケジューリング（ＦＤＰＳ）利得を達成する際に生じる。ある場合には、Ｒｅｌ−８ユーザ装置が単一のコンポーネントキャリアに指定され、そしてＬＴＥ−Ａユーザ装置は、常に、全てのコンポーネント装置において指定される。これは、あまりに多数のユーザ装置が各コンポーネントキャリアに指定された場合にコンポーネントキャリアの性能を低下させる。
【００１１】
上述した問題は、特定の通信環境に限定されず、キャリアアグリゲーションが行われるどの適当な通信システムにおいても生じ得ることに注意されたい。
【００１２】
本発明の実施形態は、上述した問題の１つ又は幾つかに対処することに向けられる。
【課題を解決するための手段】
【００１３】
一実施形態によれば、複数のコンポーネントキャリアのキャリアアグリゲーションのために通信装置の能力を決定し、少なくとも１つのコンポーネントキャリアの負荷を決定し、そして能力の決定及び負荷の決定に基づいて１つ以上のコンポーネントキャリアに通信装置を指定することを含む方法が提供される。
【００１４】
別の実施形態によれば、少なくとも１つのプロセッサと、コンピュータプログラムコードを含む少なくとも１つのメモリとを備え、その少なくとも１つのメモリ及びコンピュータプログラムコードは、少なくとも１つのプロセッサにより、装置が、少なくとも、複数のコンポーネントキャリアのキャリアアグリゲーションのために通信装置の能力を決定し、少なくとも１つのコンポーネントキャリアの負荷を決定し、そして能力の決定及び負荷の決定に基づいて１つ以上のコンポーネントキャリアに通信装置を指定する、ようにさせるよう構成された装置が提供される。
【００１５】
更に別の実施形態によれば、複数のコンポーネントキャリアのキャリアアグリゲーションのために通信装置の能力を決定する能力決定手段と、少なくとも１つのコンポーネントキャリアの負荷を決定する負荷決定手段と、それら能力の決定及び負荷の決定に基づいて１つ以上のコンポーネントキャリアに通信装置を指定する指定手段と、を備えた装置が提供される。
【００１６】
更に詳細な実施形態によれば、前記決定は、通信装置がキャリアアグリゲーションにおいてサポートするコンポーネントキャリアの最大数を決定する。好ましくは、負荷を決定することは、少なくとも１つのコンポーネントキャリアに指定される通信装置の数を決定することを含む。負荷は、次の事柄、即ち、少なくとも１つのコンポーネントキャリアに指定される通信装置の数、ユーザ装置のサービスの要求クオリティ、及びコンポーネントキャリアにおけるユーザサービスクオリティ、のうちの１つ以上に基づいて決定される。
【００１７】
負荷を決定することは、各コンポーネントキャリアに対する負荷限界を決定することを含む。好ましくは、負荷限界は、各コンポーネントキャリアによってサポートされる通信装置の最大数に基づく。コンポーネントキャリアの負荷が負荷限界より低いときに指定が繰り返される。
【００１８】
更に別の実施形態では、通信装置に指定されるコンポーネントキャリアの数が、キャリアアグリゲーションにおいて通信装置がサポートするコンポーネントキャリアの最大数より少ないときに、指定が繰り返される。
【００１９】
好ましくは、負荷を決定することは、複数のコンポーネントキャリアのうちの、負荷が最も低いコンポーネントキャリアを決定することを含む。指定は、負荷が最も低いコンポーネントキャリアを通信装置に指定することを含む。負荷が最も低いコンポーネントキャリアが２つ以上あるときには、前記決定は、負荷が最も低い２つ以上のコンポーネントキャリアの別のパラメータを決定することを含む。その別のパラメータは、コンポーネントキャリアに関連した１つ以上のチャンネルクオリティパラメータである。前記指定は、チャンネルクオリティパラメータが所定レベルを満足するときに通信装置をコンポーネントキャリアに指定することを含む。好ましくは、チャンネルクオリティパラメータは、受信干渉電力、コンポーネントキャリアの帯域巾及び信号クオリティ状態、のうちの１つ以上である。
【００２０】
ある実施形態では、前記指定は、通信装置がコンポーネントアグリゲーションをサポートしないと決定されたときに通信装置を単一のコンポーネントキャリアに指定することを含む。
【００２１】
キャリアアグリゲーションは、第三世代パートナーシッププロジェクト（３ＧＰＰ）による仕様に基づいて行われる。ある実施形態では、装置を含むベースステーションがある。好ましくは、ベースステーションは、ｅＮｏｄｅ  Ｂである。
【００２２】
前記方法を遂行するためのプログラムコード手段を含むコンピュータプログラムも提供される。
【００２３】
以下の詳細な説明及び特許請求の範囲には、種々の他の特徴及び更に別の実施形態についても述べる。
【００２４】
以下、添付図面を参照し、本発明を一例として詳細に説明する。
【図面の簡単な説明】
【００２５】
【図１】本発明の実施形態が具現化される通信システムの一例を示す。
【図２】通信装置の一例を示す。
【図３】アグリゲートされたキャリアの一例を示す。
【図４】ある実施形態に基づき複数のコンポーネントキャリアをサポートするＬＴＥ−進歩型ｅＮｏｄｅ  Ｂのための無線リソースマネージメントフレームを示す。
【図５】ある実施形態に基づくフローチャートである。
【図６】ある実施形態に対するシグナリングフローを示す。
【図７】他の実施形態に基づくフローチャートである。
【図８】他の実施形態に基づくフローチャートである。
【図９】ｅＮｏｄｅ  Ｂにおいて１つ以上のコンポーネントキャリアにユーザ装置を指定する一例を示す。
【図１０】ｅＮｏｄｅ  Ｂにおいて１つ以上のコンポーネントキャリアにユーザ装置を指定する一例を示す。
【図１１】ｅＮｏｄｅ  Ｂにおいて１つ以上のコンポーネントキャリアにユーザ装置を指定する一例を示す。
【発明を実施するための形態】
【００２６】
以下、移動通信装置にサービスするワイヤレス又は移動通信システムを参照して、幾つかの実施形態について説明する。幾つかの実施形態を詳細に説明する前に、ここに述べる例の基礎となる技術を理解する上で助けとなるように、図１及び２を参照して、ワイヤレス通信システム及び移動通信装置のある一般的な原理を簡単に説明する。
【００２７】
通信装置は、通信システムを経て提供される種々のサービス及び／又はアプリケーションにアクセスするために使用される。ワイヤレス又は移動通信システムにおいて、移動通信装置１と適当なアクセスシステム１０との間のワイヤレスアクセスインターフェイスを経てアクセスがなされる。移動装置１は、典型的に、アクセスシステムの少なくとも１つのベースステーション１２又は同様のワイヤレス送信器及び／又は受信器ノードを経て、通信システムにワイヤレスでアクセスすることができる。ベースステーションサイトは、典型的に、セルラーシステムの１つ以上のセルを備えている。図１の例では、ベースステーション１２は、セルを形成するように構成されるが、例えば、各々１つのセルを形成する３つのセクタを備えることができる。各移動装置１及びベースステーションは、１つ以上の無線チャンネルを同時にオープンさせ、２つ以上のソースから信号を受信する。
【００２８】
ベースステーションは、典型的に、その動作を行えると共に、ベースステーションとの通信において移動通信装置のマネージメントを行えるように、少なくとも１つの適当なコントローラにより制御される。コントロールエンティティは、他のコントロールエンティティと相互接続することができる。図１において、コントローラは、ブロック１３により形成されるように示されている。適当なコントローラ装置は、少なくとも１つのメモリ、少なくとも１つのデータ処理ユニット、及び入力／出力インターフェイスを備えている。従って、コントローラには、典型的に、メモリ容量、及び少なくとも１つのデータプロセッサ１４が設けられる。複数のコントローラユニット間にコントロール機能が分散されることを理解されたい。ベースステーションのためのコントローラ装置は、適当なソフトウェアコードを実行して以下に詳細に述べるコントロール機能を与えるように構成される。
【００２９】
図１に示す例では、ベースステーションノード１２は、適当なゲートウェイ１５を経てデータネットワーク２０に接続される。アクセスシステムと、パケットデータネットワークのような別のネットワークとの間のゲートウェイ機能は、例えば、パケットデータゲートウェイ及び／又はアクセスゲートウェイのような適当なゲートウェイノードにより与えられる。従って、通信システムは、１つ以上の相互接続ネットワーク及びその要素により形成され、そして種々のネットワークを相互接続するために１つ以上のゲートウェイノードが形成される。ある実施形態では、ベースステーションノードは、ｅＮｏｄｅ  Ｂである。
【００３０】
通信装置は、種々のサービス及び／又はアプリケーションにアクセスするのに使用することができる。通信装置は、コード分割多重アクセス（ＣＤＭＡ）又はワイドバンドＣＤＭＡ（ＷＣＤＭＡ）のような種々のアクセス技術に基づいて通信システムにアクセスすることができる。後者の技術は、第三世代パートナーシッププロジェクト（３ＧＰＰ）仕様に基づき通信システムにより使用される。他の例は、時分割多重アクセス（ＴＤＭＡ）、周波数分割多重アクセス（ＦＤＭＡ）、スペース分割多重アクセス（ＳＤＭＡ）、等を含む。ここに述べる原理が適用される移動アーキテクチャーは、これに限定されないが、例えば、進化型ユニバーサル地上無線アクセスネットワーク（Ｅ−ＵＴＲＡＮ）として知られている。
【００３１】
適当なアクセスノードは、これに限定されないが、例えば、３ＧＰＰ仕様書の語彙においてＮｏｄｅＢ又はエンハンストＮｏｄｅＢ（ｅＮＢ）として知られたもののようなセルラーシステムのベースステーションである。ｅＮＢは、Ｅ−ＵＴＲＡＮ特徴を与え、例えば、移動通信装置に向けたユーザ平面無線リンクコントロール／メディアアクセスコントロール／物理的レイヤプロトコル（ＲＬＣ／ＭＡＣ／ＰＨＹ）及びコントロール平面無線リソースコントロール（ＲＲＣ）プロトコルターミネーションを与える。他の例として、ワイヤレスローカルエリアネットワーク（ＷＬＡＮ）及び／又はＷｉＭａｘ（マイクロ波アクセスのためのワールドワイド相互運用）のような技術をベースとするシステムのベースステーションが含まれる。
【００３２】
図２は、複数のコンポーネントキャリアより成るアグリゲートされたキャリア１１を経て少なくとも１つの他のワイヤレスステーションと通信するのに使用できる通信装置１の概略部分断面図である。適当な移動通信装置は、無線信号を送信及び受信できる装置により形成される。例えば、これに限定されないが、移動電話又はスマートホンのような移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、又はそれらの組み合わせ、等が含まれる。
【００３３】
移動通信装置は、ボイス及びビデオコールに使用され、データネットワークを経て提供されるサービスアプリケーションにアクセスするのに使用される。移動装置１は、ワイヤレスキャリア又は無線ベアラを経て無線信号を受信及び送信するために適当な装置を経て信号を受信する。図２において、トランシーバがブロック７で概略的に示されている。このトランシーバは、例えば、無線部及びそれに関連したアンテナ構成体で形成される。アンテナ構成体は、移動装置に対して内部又は外部に配置される。又、移動装置には、典型的に、実行するべく指定されたタスクに使用するために、少なくとも１つのデータ処理エンティティ３、少なくとも１つのメモリ４、及び他の考えられるコンポーネント９が設けられる。データ処理、記憶及び他のエンティティは、適当な回路板及び／又はチップセットに設けることができる。この特徴は、参照番号６で示されている。ユーザは、キーパッド２、ボイスコマンド、タッチ感知スクリーン又はパッド、その組み合わせ、等の適当なユーザインターフェイスにより、移動装置の動作をコントロールする。ディスプレイ５、スピーカ及びマイクロホンも、典型的に、設けられる。更に、移動装置は、例えば、ハンズフリー装置のような外部アクセサリを接続するために、他の装置に対する適当なコネクタ（ワイヤード又はワイヤレス）を備えている。
【００３４】
５つのコンポーネントキャリアを使用してシステム帯域巾を形成することを示す図３にはキャリアアグリゲーションの原理が示されている。上述したように、３ＧＰＰ  ＬＴＥリリース８は、１つのキャリアしか与えず、それに適合するターミナルは、スタンドアローンコンポーネントキャリアによりサービスされると仮定する。しかしながら、リリース９以降に基づいて動作するための３ＧＰＰ  ＬＴＥ−進歩型ターミナルは、同じ送信時間インターバル（ＴＴＩ）に複数のアグリゲートされたコンポーネントキャリア上で同時に受信又は送信を行うことができる。即ち、ここでコンポーネントキャリアと称される２つ以上のキャリアは、通信装置がその能力に基づいて１つ又は複数のコンポーネントキャリアを同時に通信できるようにアグリゲートされる。アグリゲートされたキャリアのコンポーネントキャリアは、異なるセルにより与えられることに注意されたい。
【００３５】
例えば、２０ＭＨｚを越える受信能力を伴うＬＴＥ−進歩型移動通信装置は、複数の２０ＭＨｚコンポーネントキャリアにおいて同時に受信することができる。ここに示す例では、複数のリリース８帯域巾「チャンク(chunk)」又はコンポーネントキャリアは、Ｍｘリリース８帯域巾（ＢＷ）を形成するように一緒に合成される。この例では、Ｍ＝５であり、従って、５ｘ２０ＭＨｚ＝１００ＭＨｚ帯域巾となる。
【００３６】
図５及び６を参照して特定の例を以下に説明する。図５は、ある実施形態に基づく概略フローチャートである。図６は、ある実施形態に基づくユーザ装置とｅＮｏｄｅ  Ｂとの間のシグナリングフローチャートである。
【００３７】
ｅＮｏｄｅ  Ｂ１２のコントローラ１３のプロセッサ１４は、ユーザ装置１から接続の要求を受け取る。ｅＮｏｄｅ  Ｂ１２がユーザ装置１から接続要求を受け取るステップが図６のステップ６０２に示されている。
【００３８】
プロセッサ１４は、接続要求を受け取ると、図５のステップ５０２に示すように、キャリアアグリゲーションのためのユーザ装置の能力を決定する。ｅＮｏｄｅ  Ｂ１２のプロセッサ１４は、ユーザ装置１から受信した情報に基づきユーザ装置１の能力を決定する。ある実施形態では、キャリアアグリゲーションのためのユーザ装置１の能力を含む情報が接続要求に含まれる。或いは又、ある実施形態では、キャリアアグリゲーションのためのユーザ装置１の能力を含む情報がメモリから得られる。例えば、ユーザ装置１は、ｅＮｏｄｅ  Ｂ１２との再接続を要求し、そしてｅＮｏｄｅ  Ｂは、ユーザ装置１に関する情報を予め記憶している。
【００３９】
キャリアアグリゲーションのためのユーザ装置の能力を決定した後に、プロセッサは、ステップ５０４に示すように、ｅＮｏｄｅ  Ｂ１２において１つ以上のコンポーネントキャリアの負荷を決定する。ある実施形態では、コンポーネントキャリアの負荷を決定するステップは、能力を決定するステップ５０２の前に実行される。他の実施形態では、キャリアアグリゲーションのためのユーザ装置の能力を決定するステップ５０２は、ｅＮｏｄｅ  Ｂ１２においてコンポーネントキャリアの負荷を決定するステップと同時に実行される。
【００４０】
プロセッサ１４は、ｅＮｏｄｅ  Ｂ１２の各コンポーネントキャリアに指定されるユーザ装置の数を決定することによりコンポーネントキャリアの負荷を決定する。他の実施形態では、各コンポーネントキャリアの負荷を決定するための他の手段が使用される。他の実施形態では、コンポーネントキャリアの負荷は、ユーザ装置のサービスクオリティ（ＱｏＳ）要求、及び／又はコンポーネントキャリアにおけるユーザ装置のユーザサービスクオリティに基づいてプロセッサ１４により計算される。ある実施形態では、１つ以上のコンポーネントキャリアの負荷が、次の式で計算される。
【数１】
2013520048.tif 000003
但し、Ｌ(ｍ)は、コンポーネントキャリアの負荷であり、ｎｕ＿ＵＥ(ｍ)は、コンポーネントキャリアｍにおけるセル内の合計ユーザ数であり、Ｒ(ｉ)は、ユーザ装置ｉのＱｏＳ要求に基づく重み付けファクタであり、そしてＱ(ｉ、ｍ)は、コンポーネントキャリアｍに指定されたユーザ装置のユーザサービスクオリティに基づく重み付けファクタである。
【００４１】
例えば、ある実施形態では、ユーザ装置は、２Ｍｂｐｓを要求しそして重み付けファクタＲ(ｉ)が２であるが、１Ｍｂｐｓを要求するユーザ装置は、重み付けファクタＲ(ｉ)が１である。重み付けファクタＱ(ｉ、ｍ)とユーザ装置のユーザサービスクオリティとの間のマッピングは、システムに依存する。ある実施形態では、コンポーネントキャリアの負荷は、ユーザ装置のユーザサービスクオリティの増加と共に減少する。というのは、良好なサービスクオリティは、悪いサービスクオリティよりリソースが少なくてもよいからである。
【００４２】
コンポーネントキャリアの負荷、及びキャリアアグリゲーションのためのユーザ装置の容量が決定されると、プロセッサ１４は、ステップ５０６に示すように、コンポーネントキャリアの決定された負荷及びユーザ装置１の容量に基づいて、ユーザ装置を１つ以上のコンポーネントキャリアに指定し始める。
【００４３】
このようにして、プロセッサは、複数のユーザ装置間で割り当ての公平性を与えるためにユーザ装置を１つ以上のコンポーネントキャリアに指定する。好都合にも、良好なマルチユーザ周波数ドメインパケットスケジューリング（ＦＤＰＳ）利得は、ｅＮｏｄｅ  Ｂ１２のコンポーネントキャリアにユーザ装置を均一に指定することで達成することができる。更に、１つ以上のコンポーネントキャリアにユーザ装置を指定する前に、コンポーネントキャリアの負荷及びキャリアアグリゲーションのためのユーザ装置の能力を決定することにより、マルチユーザＦＤＰＳから最大の利益を得ることができる。
【００４４】
特に、ｅＮｏｄｅ  Ｂ１２におけるコンポーネントキャリアは、ｅＮｏｄｅ  Ｂ１２におけるコンポーネントキャリアへのユーザ装置のバランスのとれた指定を達成するために動作中に指定されるべき所定数のユーザ装置を有する。コンポーネントキャリアが、指定されるべきユーザ装置の所定数を越える場合には、マルチユーザ周波数ドメインパケットスケジューリング利得が減少される。
【００４５】
ユーザ装置は、ｅＮｏｄｅ  Ｂにおける幾つかのコンポーネントキャリアに指定される。ユーザ装置を幾つかのコンポーネントキャリアに指定するだけとすることにより、コンポーネントキャリアの負荷を越えないようにする。更に、ユーザ装置、例えば、ＬＴＥ−進歩型ユーザ装置は、同じ利益を受けるが、ユーザ装置電力消費及びシグナリングオーバーヘッドが減少される。
【００４６】
換言すれば、ある実施形態では、ＬＴＥ−進歩型ユーザ装置は、ｅＮｏｄｅ  Ｂにおける全てのコンポーネントキャリアに指定されるのではない。というのは、あるコンポーネントキャリアが過剰予約されるか又は既にほぼ過剰予約されているかもしれないからである。既に過剰予約されたコンポーネントキャリアにユーザ装置を指定すると、ユーザ装置は、その過剰予約されたコンポーネントキャリアにおいて良好なサービスを経験せず、そして更に、過剰予約されたコンポーネントキャリアに既に指定された他のユーザ装置のためのサービスを質低下させることになる。
【００４７】
図６は、シグナリングフローのステップを示すもので、プロセッサ１４は、ステップ６０４において１つ以上のコンポーネントキャリアへユーザ装置を指定し始める。プロセッサ１２は、１つ以上のコンポーネントキャリアへユーザ装置を指定し始めた後、エリア６０６に示すように、ユーザ装置を指定すべきであるという１つ以上のコンポーネントキャリアの情報を含むメッセージをユーザ装置１へ送信する。
【００４８】
ユーザ装置１は、ユーザ装置を１つ以上のコンポーネントキャリアに指定することに関する情報を含むメッセージを受け取ると、６０６に示すように、接続が完了したことを指示する情報を含む確認メッセージを送信する。メッセージ６０８がｅＮｏｄｅ  Ｂ１２へ送られた後に、ユーザ装置１は、１つ以上のコンポーネントキャリアに指定される。
【００４９】
図７は、ある実施形態によるフローチャートである。図７は、ユーザ装置を１つ以上のコンポーネントキャリアに指定するためのアルゴリズムを詳細に示す。
【００５０】
ｅＮｏｄｅ  Ｂ１２のプロセッサ１４は、ステップ７０２に示すように、ユーザ装置１がキャリアアグリゲーションを遂行できるかどうか決定する。ユーザ装置がキャリアアグリゲーションを遂行できることを決定すると、プロセッサ１４は、ユーザ装置がアグリゲートできるコンポーネントキャリアの最大数を決定する。次いで、プロセッサは、ユーザ装置１がアグリゲートできるコンポーネントキャリアの最大数にパラメータＫをセットする。ユーザ装置がキャリアアグリゲーションを遂行できない場合には、プロセッサは、Ｋ＝１にセットする。
【００５１】
次いで、プロセッサ１４は、ステップ７０４に示すように、ｅＮｏｄｅ  Ｂ１２が与えることのできるコンポーネントキャリアの数を決定する。ｅＮｏｄｅ  Ｂ１２により与えられるコンポーネントキャリアの数が決定されると、プロセッサは、パラメータＭを、ｅＮｏｄｅ  Ｂ１２におけるコンポーネントキャリアの数に等しくセットする。
【００５２】
ある実施形態では、ステップ７０４は遂行されない。というのは、ｅＮｏｄｅ  Ｂ１２におけるコンポーネントキャリアの数をプロセッサがメモリから検索するためである。しかしながら、他の実施形態において、コンポーネントキャリアの数がｅＮｏｄｅ  Ｂ１２の動作中に変化する場合には、ｅＮｏｄｅ  Ｂ１２におけるコンポーネントキャリアの数を決定するステップをプロセッサが常に遂行する。例えば、ｅＮｏｄｅ  Ｂ１２におけるコンポーネントキャリアの数は、ｅＮｏｄｅ  Ｂ１２の機能不良又は保守により変化することがある。
【００５３】
ステップ７０６において、プロセッサは、各コンポーネントキャリアに指定されるべきユーザ装置の最大数を決定する。コンポーネントキャリアに指定されるべきユーザ装置１の最大数を決定すると、プロセッサは、パラメータＤを、コンポーネントキャリアに指定されるべきユーザ装置の最大数にセットする。
【００５４】
パラメータＤは、各コンポーネントキャリア間で変化し得るが、通常、パラメータＤは、各コンポーネントキャリアに対して同じである。ステップ７０４と同様に、コンポーネントキャリアに指定されるべきユーザ装置の最大数を決定するステップは、メモリからパラメータＤを検索することを含む。ある実施形態では、パラメータＤは、良好なマルチユーザドメインパケットスケジューリングを与えるために各コンポーネントキャリアに指定されるユーザ装置の希望数に対応する。ある実施形態では、プロセッサは、Ｄ＝６ないし８にセットする。
【００５５】
ユーザ装置及びコンポーネントキャリアの初期パラメータを決定した後に、プロセッサは、ステップ７０８に示すように、カウンタＱを初期値にセットする。ある実施形態では、カウンタＱの初期値は、パラメータＭ又はパラメータＫの小さい方である。
【００５６】
プロセッサ１４は、各コンポーネントキャリアに指定されるユーザ装置の数を決定する。プロセッサ１４は、各コンポーネントキャリアに指定されるユーザ装置の数で変数Ｆ(ｍ)を記憶し、ここで、ｍ＝１、・・・Ｍである。ある実施形態では、プロセッサは、各コンポーネントキャリアにおける負荷を、各コンポーネントキャリアに指定されるユーザ装置の数に基づいて決定する。プロセッサは、式（１）を使用して各コンポーネントキャリアの負荷を決定する。
【００５７】
各コンポーネントキャリアの負荷の決定がステップ７１０に示されている。プロセッサ１４は、ｅＮｏｄｅ  Ｂのローカルレジストリ（図示せず）に質問することにより各コンポーネントキャリアに指定されるユーザ装置の数を決定する。ある実施形態では、ベースステーションは、メモリに記憶された現在サービス中のユーザ装置のリストを有する。
【００５８】
各コンポーネントキャリアの負荷を決定した後に、プロセッサ１４は、最低の負荷をもつコンポーネントキャリアを決定する。このように、セルにおける最小予約コンポーネントキャリアを識別することにより、セルへの接続を要求するユーザ装置は、バランスをとった状態で割り当てることができる。ステップ７１２は、指定された負荷が最低のコンポーネントキャリアをプロセッサ１４が決定することを示す。
【００５９】
ある実施形態では、ユーザ装置１は、同じコンポーネントキャリアに２回指定されることはない。ステップ７１４において、プロセッサは、最低負荷のコンポーネントキャリアに既にユーザ装置が指定されているかどうか決定する。ユーザ装置がコンポーネントキャリアに既に指定されている場合には、プロセッサ１４は、ステップ７１６に示すように、別のコンポーネントキャリアを選択する。ある実施形態では、負荷が次に最も低いことに基づいて別のコンポーネントキャリアが選択される。
【００６０】
或いは又、ステップ７１２で選択されたコンポーネントキャリアにユーザ装置１が指定されないとプロセッサ１４が決定する場合には、ユーザ装置のためのコンポーネントキャリアをプロセッサ１４が選択する。ステップ７１８に示すように、プロセッサは、選択されたコンポーネントキャリアにユーザ装置を指定する。
【００６１】
選択されたコンポーネントキャリアにユーザ装置１を指定した後に、プロセッサは、カウンタＱを変更する。カウンタＱは、ステップ７２０に示すように、以前より１だけ少なくなるようにセットされる（例えば、Ｑ＝Ｑ−１）。
【００６２】
次いで、プロセッサは、ステップ７２２において、ユーザ装置を付加的なコンポーネントキャリアに指定することを繰り返すべきか、又はユーザ装置をコンポーネントキャリアに指定することを終了すべきか決定する。
【００６３】
特に、プロセッサ１４は、各コンポーネントキャリアに指定されるユーザ装置１の数が、セルの良好な動作を許すために各コンポーネントキャリアに指定されるべきユーザ装置の最大数より依然小さいかどうか決定する。プロセッサは、各コンポーネントキャリアについて、ユーザ装置１を更なるコンポーネントキャリアに指定できるかどうか決定する。
【００６４】
更に、プロセッサは、カウンタＱが０より大きいかどうか決定する。このように、カウンタＱが０より小さい場合には、ユーザ装置がアグリゲートできるコンポーネントキャリアの最大数にユーザ装置が到達しているか、又はｅＮｏｄｅ  Ｂにおける使用可能な全コンポーネントキャリアにユーザ装置が既に指定されているかのいずれかである。ユーザ装置を更なるコンポーネントキャリアに指定できる場合には、プロセッサは、アルゴリズムを繰り返し、そして矢印７２４で示すように、ステップ７１０へ復帰する。
【００６５】
ユーザ装置が更なるコンポーネントキャリアに指定されない場合には、プロセッサは、ステップ７２６に示すように、指定アルゴリズムを終了する。
【００６６】
図８は、ある実施形態に対するフローチャートである。特に、図８に示すステップは、図７に示すステップ７１２に任意に置き換えられる。図８に示す破線矢印は、ステップ７１４において図７に示すプロセスに続くことを表わす。図８に示すステップ８１２は、図７に示すステップ７１２と同じである。ステップ８１２は、プロセッサ１４が、最低負荷のコンポーネントキャリアを決定することを示す。
【００６７】
しかしながら、あるケースでは、等しい負荷をもつコンポーネントキャリアがある。このように、最低負荷のコンポーネントキャリアが２つ以上存在することがある。
【００６８】
ステップ８１４において、プロセッサ１４は、最低負荷のコンポーネントキャリアが２つ以上あるかどうか決定する。最低負荷のコンポーネントキャリアが１つだけあると決定された場合には、プロセッサは、ステップ８１６に示すように、ユーザ装置を最低負荷のコンポーネントキャリアに指定し始めるように進む。次いで、プロセッサ１４は、ステップ８１６の後に、図７に示すステップ７１４の方法へと続く。
【００６９】
ステップ８１４において、最低負荷のコンポーネントキャリアが２つ以上あるとプロセッサ１４が決定すると、プロセッサ１４は、他の基準に基づいてユーザ装置がどのコンポーネントキャリアに指定されねばならないか決定する必要がある。
【００７０】
ある実施形態では、プロセッサ１４は、等しい最低負荷をもつと決定される１つのコンポーネントキャリアを任意に選択する。
【００７１】
他の実施形態では、プロセッサは、ステップ８１８に示すように、各コンポーネントキャリアに対してチャンネルクオリティに関するパラメータを決定する。チャンネルクオリティに関するパラメータは、決定された平均測定値である。
【００７２】
等しい最低負荷をもつと決定されたコンポーネントキャリアが、同じ平均チャンネルクオリティを有する場合には、ｅＮｏｄｅ  Ｂのプロセッサは、ユーザ装置に対してコンポーネントキャリアをランダムに選択することができる。ある実施形態では、プロセッサ１４は、１つ以上のファクタに基づいて平均チャンネルクオリティを決定する。
【００７３】
他の実施形態では、１つ以上のコンポーネントキャリアのクオリティは、それに加えて又はそれとは別に、ユーザ装置１に対する予想受信スループットに基づいて決定される。プロセッサ１４は、ユーザ装置に対する予想受信スループットを、コンポーネントキャリア帯域巾に基づいて決定する。このように、プロセッサは、帯域巾の広いコンポーネントキャリアを選択することができる。というのは、コンポーネントキャリアに指定されるユーザ装置が高いスループットを有することが予想されるからである。
【００７４】
コンポーネントキャリアの平均チャンネルクオリティが同じでない場合には、プロセッサは、８２０に示すように、コンポーネントキャリア指定がユーザ装置１とのアップリンク通信に対するものかダウンリンク通信に対するものか決定する。
【００７５】
コンポーネントキャリア指定がアップリンク通信のためのものであると決定すると、プロセッサは、ステップ８２２に示すように、どのコンポーネントキャリアが最低干渉レベルをもつか決定する。ある実施形態では、最低干渉レベルは、アップリンクにおいてｅＮｏｄｅ  Ｂにより平均受信干渉電力として測定される。平均受信干渉電力は、各コンポーネントキャリアに対して決定され、プロセッサ１４は、最低干渉レベルのコンポーネントキャリアを選択する。
【００７６】
ステップ８２２においてコンポーネントキャリアを選択した後に、プロセッサは、ステップ７１４において図７の方法に続く。
【００７７】
ステップ８２０において、コンポーネントキャリア指定がダウンリンク通信のためのものであるとプロセッサ１４が決定すると、プロセッサ１４は、ユーザ装置１の信号クオリティ状態が最良のコンポーネントキャリアを選択する。ユーザ装置信号クオリティ状態は、各コンポーネントキャリアに対してユーザ装置チャンネルクオリティインジケータ（ＣＱＩ）又は基準信号受信クオリティ（ＲＳＲＱ）の平均をとることで測定される。
【００７８】
その後、プロセッサは、ステップ７１４へ進むことにより図７の方法に続く。
【００７９】
図９は、ｅＮｏｄｅ  Ｂの負荷を例示する。ｅＮｏｄｅ  Ｂは、４つのコンポーネントキャリア、即ちコンポーネントキャリア１  ９０２、コンポーネントキャリア２  ９０４、コンポーネントキャリア３  ９０６、コンポーネントキャリア４  ９０８を含む。図９は、更に、ｅＮｏｄｅ  Ｂにおける１つ以上のコンポーネントキャリアに指定された６個のユーザ装置を示す。
【００８０】
各ユーザ装置は、異なる時点でｅＮｏｄｅ  Ｂに接続される。特に、ユーザ装置１ないし６は、実施形態を説明する目的でｅＮｏｄｅ  Ｂに順次に接続される。
【００８１】
ユーザ装置＃１  ９１１は、ｅＮｏｄｅ  Ｂ１２との接続を要求する。ステップ７０２を参照すれば、ｅＮｏｄｅ  Ｂのプロセッサは、ユーザ装置＃１  ９１１がアグリゲートできるコンポーネントキャリアの最大数が４であると決定する。これは、図９に示すように、ユーザ装置と同じ線上のＫ＝４により表わされる。
【００８２】
次いで、プロセッサ１４は、図９に示すように４つのコンポーネントキャリアがあるので、Ｍ＝４であり、且つ各コンポーネントキャリアに指定されるべきユーザ装置の最大数が６である（Ｄ＝６）ことを決定する。これは、図７に示すように７０４及び７０６で行われるステップに対応する。
【００８３】
次いで、プロセッサ１４は、Ｍ＝４及びＫ＝４であるから、７０８におけるカウンタＱをＱ＝４にセットする。次いで、プロセッサ１４は、ステップ７１０に示すように、各コンポーネントキャリアに指定されるユーザ装置の数が０であると決定する。これは、ユーザ装置＃１  ９１１がｅＮｏｄｅ  Ｂへの接続を試みるときに、他のユーザ装置がｅＮｏｄｅ  Ｂに取り付けられないからである。このように、各コンポーネントキャリアに対してＦ(ｍ)＝０となる。
【００８４】
この実施形態では、各コンポーネントキャリアの負荷Ｌ(ｍ)は、各コンポーネントキャリアに指定されるユーザ装置の数Ｆ(ｍ)として決定される。即ち、負荷Ｌ(ｍ)＝Ｆ(ｍ)である。別の実施形態では、負荷Ｌ(ｍ)は、前記実施形態で述べたように、サービスクオリティ及び／又はチャンネルクオリティのような付加的なファクタに基づいて決定される。
【００８５】
次いで、プロセッサは、コンポーネントキャリア９０２、９０４、９０６及び９０８の各々に、ステップ７１２に示すように、最低数のユーザ装置が指定されたと決定する。
【００８６】
ｅＮｏｄｅ  Ｂにおけるいずれのコンポーネントキャリアにもユーザ装置が取り付けられないので、プロセッサ１４は、ユーザ装置＃１  ９１１がいずれのコンポーネントキャリアにもそれ以前に指定されていないことを決定する。次いで、プロセッサ１４は、７１８に示すように、ユーザ装置＃１  ９１１をコンポーネントキャリア＃１  ９０２に指定するように進む。
【００８７】
プロセッサは、ステップ７２０において、カウンタＱをＱ＝３に調整する。ステップ７２２において、プロセッサは、Ｆ(ｍ)＜Ｄが真であることを決定する。というのは、コンポーネントキャリア＃１  ９０２に対してＦ(ｍ)＝１であり、そして他の全てのコンポーネントキャリアに対してＦ(ｍ)＝０だからである。ステップ７２２において、プロセッサは、上述したように、Ｑ＝３であるから、Ｑ＞０が真であることも決定する。
【００８８】
このように、より多くのコンポーネントキャリアを指定できるので、プロセッサ１４は、ステップ７１０において、付加的なコンポーネントキャリアにユーザ装置を指定することに戻る。このように、プロセッサは、ｅＮｏｄｅ  Ｂにおける他の全てのコンポーネントキャリア９０４、９０６及び９０８にユーザ装置＃１  ９１１を指定するステップを繰り返す。プロセッサ１４は、Ｑ＞０が真でないことを決定すると、コンポーネントキャリアへのユーザ装置＃１の指定を停止する。換言すれば、プロセッサ１４は、それ以上のコンポーネントキャリアへのユーザ装置＃１の指定を停止する。というのは、ユーザ装置＃１がそれ以上のコンポーネントキャリアのキャリアアグリゲーションをサポートできないからである。
【００８９】
次いで、ユーザ装置＃２  ９１２は、ｅＮｏｄｅ  Ｂとの接続を要求する。ユーザ装置＃１  ９１１での手順と同様に、ユーザ装置＃２  ９１２は、各コンポーネントキャリアに指定される。というのは、各コンポーネントキャリアは、付加的なユーザ装置を指定すべき容量を有するからである。
【００９０】
ユーザ装置＃３は、１つのコンポーネントキャリア９０２のみに指定される。これは、ユーザ装置がアグリゲートできるコンポーネントキャリアの最大数が１だからである。即ち、ユーザ装置＃３  ９１３は、コンポーネントキャリアのキャリアアグリゲーションを遂行することができない。このように、ステップ７０８において、カウンタＱは、Ｑ＝１にセットされる。これは、ステップ７１２により、カウンタＱが０に等しいことを意味し、ユーザ装置＃３  ９１３は、付加的なコンポーネントキャリアに指定されない。というのは、ステップ７２２において、Ｑ＞０が真でないことをプロセッサが決定するからである。Ｑ＞０が真でないことを決定した後、プロセッサ１４は、ステップ７２６に示すように、プロセスを終了する。
【００９１】
又、ユーザ装置＃４  ９１４も、ｅＮｏｄｅ  Ｂへの接続を試みる。ユーザ装置＃３  ９１３と同様に、ユーザ装置＃４  ９１４は、キャリアアグリゲーションをサポートしない。しかしながら、ユーザ装置＃４  ９１４は、コンポーネントキャリア＃１  ９０２に指定されない。というのは、ユーザ装置＃３  ９１３、ユーザ装置＃２  ９１２及びユーザ装置＃１  ９１１がコンポーネントキャリア＃１に既に指定されているからである。
【００９２】
このように、プロセッサ１４は、ステップ７１２において、ユーザ装置＃４  ９１４がｅＮｏｄｅ  Ｂに接続されたときに、最低数のユーザ装置が指定されているコンポーネントキャリアが、コンポーネントキャリア＃２  ９０４、コンポーネントキャリア＃３  ９０６及びコンポーネントキャリア＃４  ９０８（各々２つのユーザ装置が既に指定されている）であることを決定する。このように、ユーザ装置＃４は、コンポーネントキャリア＃２に指定される。
【００９３】
ユーザ装置＃５  ９１５は、２つのコンポーネントキャリアの最大アグリゲーションをサポートすることができ、それ故、コンポーネントキャリア＃３  ９０６及びコンポーネントキャリア＃４  ９０８に指定される。というのは、これらキャリアには、このとき、最低数のユーザ装置が指定されているからである。
【００９４】
ユーザ装置＃６  ９１６は、ユーザ装置がアグリゲートできるコンポーネントキャリアの最大数を３として有している。ステップ７１２において、プロセッサ１４は、ユーザ装置＃６  ９１６がｅＮｏｄｅ  Ｂへの接続を試みるときに、各コンポーネントキャリアに３つのユーザ装置（Ｆ(ｍ)＝３）が指定されたことを決定する。全てのコンポーネントキャリアは、等しいものであり、従って、プロセッサは、ユーザ装置＃６  ９１６をコンポーネントキャリア＃１ないし＃３に指定する。
【００９５】
図９は、ｅＮｏｄｅ  Ｂが低い負荷を有し、そして各ユーザ装置がキャリアアグリゲーションをサポートできるところの最大数のコンポーネントキャリアに各ユーザ装置を指定できる規範的実施形態を示す。
【００９６】
図１０は、ｅＮｏｄｅ  Ｂにおける負荷の一例を示す。図１０は、図９と同様であるが、図１０は、負荷が中程度である場合を示す。図１０は、２０個のユーザ装置が１つ以上のコンポーネントキャリアに指定されることを示す。
【００９７】
プロセッサ１４は、ステップ７１０において各コンポーネントキャリアに指定されるユーザ装置の数が、コンポーネントキャリア＃１  ９０２の場合にＦ(ｍ)＝７であり、コンポーネントキャリア＃２  ９０４の場合にＦ(ｍ)＝５であり、コンポーネントキャリア＃３  ９０６の場合にＦ(ｍ)＝５であり、そしてコンポーネントキャリア＃４  ９０８の場合にＦ(ｍ)＝８であることを決定する。
【００９８】
コンポーネントキャリア＃２及び＃３  ９０４及び９０６だけは、ユーザ装置の所定の最大数Ｄ＝６未満である。コンポーネントキャリア＃１及び＃４は、各コンポーネントキャリアに指定するためのユーザ装置を最大数より多く有する。
【００９９】
プロセッサ１４は、ステップ７１８においてコンポーネントキャリア＃２にユーザ装置を指定する。プロセッサは、ステップ７２２において、コンポーネントキャリア＃３  ９０６に対してＦ(ｍ)＜Ｄが真であることを決定し、そしてステップ７１８においてユーザ装置がコンポーネントキャリア＃３に指定されるように手順を繰り返す。その後、ステップ７２２において、プロセッサ１４は、Ｆ(ｍ)＜Ｄが偽であることを決定し、そしてプロセッサは、ステップ７２６に示すように、指定を終了させる。
【０１００】
図１０に示す実施形態では、キャリアアグリゲーション能力Ｋ＝４をもつ新規なＬＴＥ−進歩型ユーザ装置がセルに入ったとき、プロセッサ１４は、ユーザ装置をコンポーネントキャリア＃２及び＃３のみに指定する。というのは、コンポーネントキャリア＃２及び＃３は、予備能力をもつ唯一のコンポーネントキャリアだからである。
【０１０１】
潜在的に、ＬＴＥ−進歩型ユーザ装置は、４つ全部のコンポーネントキャリア＃１ないし＃４に指定することができる。しかしながら、ＬＴＥ−進歩型ユーザ装置は、２つのコンポーネントキャリアにしか指定されず、これは、ユーザ装置に対してより効率的な電力消費及びシグナリングオーバーヘッドを与える。ＬＴＥ−進歩型ユーザ装置が全てのコンポーネントキャリアに指定された場合でも、ＦＤＰＳから完全に利益を得るに充分なユーザ装置が全てのコンポーネントキャリア上に既にあるので、システム性能を改善することはできない。
【０１０２】
図１１は、ｅＮｏｄｅ  Ｂにおける負荷の例を示す。図１１は、図９及び１０と同様であるが、ｅＮｏｄｅ  Ｂは、高い負荷を有する。新たなユーザ装置がｅＮｏｄｅ  Ｂへの接続を要求する場合には、ステップ７１０において、プロセッサは、各コンポーネントキャリアに指定されるユーザ装置の数が、コンポーネントキャリア＃１  ９０２の場合にＦ(ｍ)＝８であり、コンポーネントキャリア＃２  ９０４の場合にＦ(ｍ)＝９であり、コンポーネントキャリア＃３  ９０６の場合にＦ(ｍ)＝９であり、そしてコンポーネントキャリア＃４  ９０８の場合にＦ(ｍ)＝１１であることを決定する。
【０１０３】
プロセッサ１４は、ステップ７１２において、最低数のユーザ装置が指定されたコンポーネントキャリアがコンポーネントキャリア＃１  ９０２であることを決定する。プロセッサ１４は、前記実施形態と同様に、ステップ７１８に示すように、コンポーネントキャリア＃１  ９０２にユーザ装置を指定する。しかしながら、ステップ７２２において、プロセッサ１４は、Ｆ(ｍ)＜Ｄが偽であることを決定し、そしてプロセッサは、ステップ７２６に示すように、指定を終了する。
【０１０４】
ＬＴＥ−進歩型に関連して実施形態を説明したが、複数のコンポーネントキャリアを含むキャリアが使用される他の通信システムにも同様の原理を適用できることに注意されたい。又、ベースステーションにより与えられるキャリアに代わって、コンポーネントキャリアを含むキャリアが移動ユーザ装置のような通信装置により与えられる。例えば、これは、固定装置が設けられず、例えば、アドホックネットワークにおいて複数のユーザ装置により通信システムが形成されるケースである。それ故、ワイヤレスネットワーク、技術及び規格についての幾つかの規範的アーキテクチャーを参照して幾つかの実施形態を一例として説明したが、ここに図示して説明した以外の適当な形態の通信システムに実施形態を適用することができる。
【０１０５】
又、本発明の規範的実施形態を上述したが、本発明の範囲から逸脱せずに、ここに開示した解決策に多数の変更や修正がなされることにも注意されたい。
【０１０６】
一般的に、種々の実施形態は、ハードウェア又は特殊目的の回路、ソフトウェア、ロジック又はその組み合わせで具現化される。本発明のある観点は、ハードウェアで具現化される一方、他の観点は、コントローラ、マイクロプロセッサ又は他のコンピューティング装置により実行されるファームウェア又はソフトウェアで具現化されるが、本発明は、これに限定されない。本発明の種々の観点は、ブロック図、フローチャート、又は他の何らかの絵画的表現を使用して、図示して説明されたが、ここに述べるこれらブロック、装置、システム、技術又は方法は、非限定例として、ハードウェア、ソフトウェア、ファームウェア、特殊目的回路又はロジック、汎用ハードウェア又はコントローラ又は他のコンピューティング装置、或いはその幾つかの組み合わせで具現化されることを理解されたい。
【０１０７】
本発明の実施形態は、プロセッサエンティティのような移動装置のデータプロセッサにより実行可能なコンピュータソフトウェア、又はハードウェア、或いはソフトウェア及びハードウェアの組み合わせにより、具現化される。
【０１０８】
更に、この点に関して、論理フロー図のブロックは、プログラムステップ又は相互接続されたロジック回路、ブロック及び機能、或いはプログラムステップ及びロジック回路、ブロック及び機能の組み合わせを表わすことに注意されたい。ソフトウェアは、メモリチップのような物理的媒体、プロセッサ内に実施されるメモリブロック、ハードディスク又はフロッピーディスクのような磁気媒体、ＤＶＤ及びそのデータ異形、即ちＣＤのような光学的媒体に記憶される。
【０１０９】
メモリは、ローカル技術環境に適したいずれの形式でもよく、そして適当なデータ記憶技術、例えば、半導体ベースのメモリ装置、磁気メモリ装置及びシステム、光学的メモリ装置及びシステム、固定メモリ及び除去可能なメモリを使用して実施される。データプロセッサは、ローカル技術環境に適したいずれの形式でもよく、そして汎用コンピュータ、特殊目的コンピュータ、マイクロプロセッサ、デジタル信号プロセッサ（ＤＳＰ）、特定用途向け集積回路（ＡＳＩＣ）、マルチコアプロセッサアーキテクチャーをベースとするゲートレベル回路及びプロセッサ、の１つ以上を含むが、これに限定されない。
【０１１０】
本発明の実施形態は、集積回路モジュールのような種々のコンポーネントにおいて実施される。集積回路の設計は、全般的に、高度に自動化されたプロセスである。ロジックレベル設計を、半導体基板上にエッチングされて形成される準備のできた半導体回路設計へと変換するための複雑で且つパワフルなソフトウェアツールを利用することができる。
【０１１１】
カリフォルニア州マウンテンビューのSynopsys社、及びカリフォルニア州サンノセのCadence Design社により提供されるもののようなプログラムは、充分に確立された設計ルール及び予め記憶された設計モジュールのライブラリを使用して、導体を自動的に引き回すと共に半導体チップ上にコンポーネントを配置する。半導体回路の設計が完了すると、それにより得られる標準電子フォーマットの設計（例えば、Ｏｐｕｓ、ＧＤＳＩＩ、等）が半導体製造設備又は製造用“ｆａｂ”へ送信される。
【０１１２】
本明細書で使用する「回路」という語は、次の全部を指す。
（ａ）ハードウェアのみの回路実施（アナログ及び／又はデジタル回路のみの実施のような）；
（ｂ）回路及びソフトウェア（及び／又はファームウェア）の組み合わせ、例えば、（ｉ）プロセッサの組み合わせ、又は（ii）移動電話又はサーバーのような装置に種々の機能を果たさせるように一緒に働くプロセッサ／ソフトウェア（デジタル信号プロセッサを含む）、ソフトウェア、及びメモリの部分；及び
（ｃ）ソフトウェア又はファームウェアが物理的に存在しなくても、動作のためのソフトウェア又はファームウェアを要求するマイクロプロセッサ又はマイクロプロセッサの一部分のような回路。
【０１１３】
「回路」についてのこの定義は、特許請求の範囲を含めた本明細書においてこの用語の全ての使用に適用される。更に別の例として、本明細書に使用される語「回路」は、単なるプロセッサ（又は複数のプロセッサ）、或いはプロセッサ及びそれに付随するソフトウェア及び／又はファームウェアの一部分の実施もカバーする。又、「回路」という語は、例えば、特許請求の範囲の特定の要素に適用される場合には、基本帯域集積回路、移動電話のアプリケーションプロセッサ集積回路、又はサーバーにおける同様の集積回路、セルラーネットワーク装置、或いは他のネットワーク装置もカバーする。
【０１１４】
以上、本発明の規範的実施形態を一例として及び非限定例として詳細に説明した。しかしながら、当業者であれば、以上の説明を添付図面及び特許請求の範囲に関連して読んだときに種々の変更や適応が明らかとなろう。しかしながら、本発明の教示の全てのそのような及び同様の変更は、特許請求の範囲に規定された本発明の範囲内に包含される。実際に、上述した他の実施形態の組み合わせより成る更に別の実施形態も考えられる。
【符号の説明】
【０１１５】
１：移動装置
２：キーパッド
３：データ処理エンティティ
４：メモリ
５：ディスプレイ
７：送信器
９：コンポーネント
１０：アクセスシステム
１１：アグリゲートされたキャリア
１２：ベースステーション
１３：コントローラ
１４：データプロセッサ
１５：ゲートウェイ
２０：データネットワーク
【図１】
2013520048.tif 000004
【図２】
2013520048.tif 000005
【図３】
2013520048.tif 000006
【図４】
2013520048.tif 000007
【図５】
2013520048.tif 000008
【図６】
2013520048.tif 000009
【図７】
2013520048.tif 000010
【図８】
2013520048.tif 000011
【図９】
2013520048.tif 000012
【図１０】
2013520048.tif 000013
【図１１】
2013520048.tif 000014
【国際調査報告】
2013520048.tif 000015
2013520048.tif 000016